(57)【要約】  本発明は、昇降路（２）において簡単に精度よく重り枠（２１）を組み立てられるエレベーターの重り枠組立支援装置（２７）およびエレベーターの重り枠組立方法を提供することを目的とする。重り枠組立支援装置（２７）は、スペーサー（２８）を備える。立枠（２２）は、側面に対向する釣合重りガイドレール（７）と当該側面との間の間隙の幅をスペーサー（２８）によって一定に保つように、鉛直に立てて配置される。上枠（２３）は、立てられた立枠（２２）に取り付けられる。上枠（２３）が取り付けられた立枠（２２）は、スペーサー（２８）とともに鉛直上方に移動させられる。このとき、釣合重りガイドレール（７）と立枠（２２）の側面との間の間隙の幅は、スペーサー（２８）によって一定に保たれる。下枠（２４）は、鉛直上方に移動させられた立枠（２２）に取り付けられる。
2019239516.tif 000002
【特許請求の範囲】
【請求項１】
釣合重りの重り枠の立枠の側面に取り付けられ、前記側面に対向するガイドレールと前記側面との間の間隙の幅を一定に保ち、前記重り枠の組立において前記重り枠の下枠が取り付けられていない状態の前記立枠が鉛直方向に移動するときに前記立枠とともに移動するスペーサー、
を備えるエレベーターの重り枠組立支援装置。
【請求項２】
前記スペーサーは、互いに分離可能な一対のスペーサー要素を備え、
前記一対のスペーサー要素の各々は、底面が前記立枠に取り付けられ、前記底面に垂直な第１側面からの距離が前記ガイドレールの厚さの少なくとも半分である第１領域を有し、前記第１領域の前記底面からの厚さが一定である請求項１に記載のエレベーターの重り枠組立支援装置。
【請求項３】
前記一対のスペーサー要素の各々は、前記底面に垂直な第２側面からの距離が前記ガイドレールの厚さの少なくとも半分である第２領域を有し、前記第２領域の前記底面からの厚さが前記第１領域の前記底面からの厚さより薄く一定である請求項２に記載のエレベーターの重り枠組立支援装置。
【請求項４】
軸方向の一端が開放端であり、前記軸方向に垂直な面による前記一端の断面形状が釣合重りバッファーの上端部の水平断面の形状を内部に含むキャップと、前記軸方向の他端に設けられ、前記キャップの反対側の面が前記軸方向に垂直な受面である天板と、を有する受台、
を備える請求項１から請求項３のいずれか一項に記載のエレベーターの重り枠組立支援装置。
【請求項５】
前記天板は、前記重り枠の下枠の下面から突出する部材と前記下枠の下面の中心までの距離だけ前記天板の中心から離れる位置に、前記受面から前記キャップの側に貫通する開口が設けられる請求項４に記載のエレベーターの重り枠組立支援装置。
【請求項６】
釣合重りの重り枠の立枠の側面に対向するガイドレールと前記側面との間の間隙の幅を前記側面に取り付けられたスペーサーによって一定に保つように前記立枠を鉛直に立てて配置する立枠配置工程と、
前記立枠配置工程において立てられた前記立枠に前記重り枠の上枠を取り付ける上枠取付工程と、
前記上枠取付工程において前記上枠が取り付けられた前記立枠を前記スペーサーによって前記間隙の幅を一定に保ちながら前記スペーサーとともに鉛直上方に移動させる立枠移動工程と、
前記立枠移動工程において鉛直上方に移動させられた前記立枠に前記重り枠の下枠を取り付ける下枠取付工程と、
を備えるエレベーターの重り枠組立方法。
【請求項７】
前記立枠配置工程は、前記スペーサーが備える互いに分離可能な一対のスペーサー要素の一方を前記立枠の前記側面の前側に取り付け、前記一対のスペーサー要素の他方を前記立枠の前記側面の後側に取り付けるスペーサー取付工程を含み、
前記下枠取付工程は、前記一対のスペーサー要素の一方を前記立枠の前側から取り外し、前記一対のスペーサー要素の他方を前記立枠の後側から取り外すスペーサー除去工程を含む請求項６に記載のエレベーターの重り枠組立方法。
【請求項８】
軸方向の一端が開放端であるキャップと前記キャップの前記軸方向の他端に設けられ前記キャップの反対側の面が前記軸方向に垂直な受面である天板とを有する受台の前記キャップの開放端を釣合重りバッファーの上端に被せて前記受台を配置する受台配置工程、
を備え、
前記下枠取付工程は、前記立枠に取り付けられていない前記下枠を前記釣合重りバッファーの上端に前記受台配置工程において配置された前記受台の前記受面の上に置いて配置する下枠配置工程を含む請求項６または請求項７に記載のエレベーターの重り枠組立方法。
【発明の詳細な説明】
【技術分野】
【０００１】
本発明は、エレベーターの重り枠組立支援装置およびエレベーターの重り枠組立方法に関する。
【背景技術】
【０００２】
特許文献１にエレベーターの重り枠の立枠の交換方法の例が記載されている。交換方法は、立枠が取り外された上枠を一対のガイドレールの各々に固定する工程を備える。
【先行技術文献】
【特許文献】
【０００３】
【特許文献１】日本特許第５８８２５１２号公報
【発明の概要】
【発明が解決しようとする課題】
【０００４】
しかしながら、特許文献１に記載の交換方法において、上枠は、一対のガイドレールの各々の外側から固定される。このため、上枠と一対のガイドレールとの間の間隙の幅は、必要な幅に保たれない場合がある。このとき、重り枠を組み立てた後に一対のガイドレールとの間の間隙を調整する工程が別途必要になる。したがって、昇降路において簡単に精度よく重り枠を組み立てることができない。【０００５】
本発明は、このような課題を解決するためになされた。本発明の目的は、昇降路において簡単に精度よく重り枠を組み立てられるエレベーターの重り枠組立支援装置およびエレベーターの重り枠組立方法を提供することである。
【課題を解決するための手段】
【０００６】
本発明に係るエレベーターの重り枠組立支援装置は、釣合重りの重り枠の立枠の側面に取り付けられ、側面に対向するガイドレールと側面との間の間隙の幅を一定に保ち、重り枠の組立において重り枠の下枠が取り付けられていない状態の立枠が鉛直方向に移動するときに立枠とともに移動するスペーサー、を備える。【０００７】
本発明に係るエレベーターの重り枠組立方法は、釣合重りの重り枠の立枠の側面に対向するガイドレールと側面との間の間隙の幅を側面に取り付けられたスペーサーによって一定に保つように立枠を鉛直に立てて配置する立枠配置工程と、立枠配置工程において立てられた立枠に重り枠の上枠を取り付ける上枠取付工程と、上枠取付工程において上枠が取り付けられた立枠をスペーサーによって間隙の幅を一定に保ちながらスペーサーとともに鉛直上方に移動させる立枠移動工程と、立枠移動工程において鉛直上方に移動させられた立枠に重り枠の下枠を取り付ける下枠取付工程と、を備える。
【発明の効果】
【０００８】
これらの発明によれば、スペーサーは、釣合重りの重り枠を組み立てるときに立枠が鉛直方向に移動可能な状態において、立枠の側面とガイドレールとの間の間隙の幅を一定に保つ。これにより、ピット内において簡単に精度よく重り枠を組み立てられる。
【図面の簡単な説明】
【０００９】
【図１】実施の形態１に係る重り枠組立方法が適用されるエレベーターの構成図である。
【図２】実施の形態１に係る重り枠組立支援装置の斜視図である。
【図３】実施の形態１に係るスペーサー要素の斜視図である。
【図４】実施の形態１に係る受台の斜視図である。
【図５】実施の形態１に係る重り枠組立方法の例を示す図である。
【図６】実施の形態１に係る重り枠組立方法の例を示す図である。
【図７】実施の形態１に係る重り枠組立方法の例を示す図である。
【図８】実施の形態１に係る重り枠組立方法の例を示す図である。
【図９】実施の形態１に係る重り枠組立方法の例を示す図である。
【図１０】実施の形態１に係る重り枠組立方法の例を示す図である。
【発明を実施するための形態】
【００１０】
本発明を実施するための形態について添付の図面を参照しながら説明する。各図において、同一または相当する部分には同一の符号を付して、重複する説明は適宜に簡略化または省略する。
【００１１】
実施の形態１．
図１は、実施の形態１に係る重り枠組立方法が適用されるエレベーターの構成図である。
【００１２】
図１において、エレベーター１が設けられる建築物は、複数の階を有する。昇降路２は、建築物の各階を貫く。ピット３は、昇降路２の下端に設けられる。複数の乗場４の各々は、建築物の各階に設けられる。複数の乗場４の各々は、昇降路２に対向する。複数の乗場４の各々は、乗場扉５を備える。
【００１３】
一対のかごガイドレール６は、昇降路２に設けられる。一対のかごガイドレール６の各々は、鉛直方向に延びる。一対のかごガイドレール６は、互いに平行である。一対のかごガイドレール６は、互いに対向する。一対のかごガイドレール６の互いに対向する部分は、一定の厚さに形成される。
【００１４】
一対の釣合重りガイドレール７は、昇降路２に設けられる。一対の釣合重りガイドレール７の各々は、鉛直方向に延びる。一対の釣合重りガイドレール７は、互いに平行である。一対の釣合重りガイドレール７は、互いに対向する。一対の釣合重りガイドレール７の互いに対向する部分は、一定の厚さＴに形成される。
【００１５】
エレベーター１は、かご８と、釣合重り９と、巻上機１０と、そらせ車１１と、主ロープ１２と、釣合チェーン１３と、かごバッファー１５と、釣合重りバッファー１６と、を備える。
【００１６】
かご８は、昇降路２の内部において一対のかごガイドレール６に沿って昇降しうるように設けられる。かご８と一対のかごガイドレール６の各々との間の間隙は、かご８が滑らかに昇降しうるように、予め定められた幅に調整される。かご８は、かご扉１７と、複数のガイドシュー１８と、を備える。かご扉１７は、図示されない係合装置を備える。係合装置は、かご８が複数の階のいずれかに停止している場合に乗場扉５をかご扉１７に連動して開閉させる装置である。複数のガイドシュー１８は、かご８の昇降を一対のかごガイドレール６に沿ってガイドする装置である。複数のガイドシュー１８の一部は、一対のかごガイドレール６の一方の側に設けられる。複数のガイドシュー１８の他の一部は、一対のかごガイドレール６の他方の側に設けられる。
【００１７】
釣合重り９は、昇降路２の内部において一対の釣合重りガイドレール７に沿って昇降しうるように設けられる。釣合重り９と一対の釣合重りガイドレール７の各々との間の間隙の幅は、釣合重り９が滑らかに昇降しうるように、予め定められた幅に調整される。なお、当該間隙の幅は、エレベーターによって異なる幅が設定されることがある。
【００１８】
巻上機１０は、昇降路２の上部に設けられる。巻上機１０は、モーターと、シーブと、を備える。巻上機１０のモーターは、巻上機１０のシーブを回転駆動する装置である。
【００１９】
そらせ車１１は、昇降路２の上部に設けられる。そらせ車１１は、シーブである。
【００２０】
主ロープ１２は、巻上機１０のシーブに巻き掛けられる。主ロープ１２は、そらせ車１１に巻きかけられる。主ロープ１２の一端は、かご８に保持される。主ロープ１２の他端は、釣合重り９に保持される。
【００２１】
釣合チェーン１３の一端は、かご８に保持される。釣合チェーン１３の他端は、釣合重り９に保持される。釣合チェーン１３は、かご８と釣合重り９との高さの違いによって変動する重量バランスを補償するチェーンである。なお、釣合チェーン１３は、チェーンに代えてワイヤーロープであってもよい。エレベーター１は、釣合チェーン１３を２本備えてもよい。
【００２２】
かごバッファー１５は、ピット３に設けられる。かごバッファー１５は、かご８が昇降路２の底部に衝突する場合の衝撃を緩和する装置である。かごバッファー１５は、かご８の下方に設けられる。
【００２３】
釣合重りバッファー１６は、ピット３に設けられる。釣合重りバッファー１６は、釣合重り９が昇降路２の底部に衝突する場合の衝撃を緩和する装置である。釣合重りバッファー１６は、釣合重り９の下方に設けられる。釣合重りバッファー１６の上端部は、例えば鉛直方向を中心軸とする円筒形状である。釣合重りバッファー１６の中心軸は、例えば釣合重り９の中心軸上に設けられる。
【００２４】
釣合重り９は、複数のガイドシュー１９と、複数の重りブロック２０と、重り枠２１と、を備える。
【００２５】
複数のガイドシュー１９は、釣合重り９の昇降を一対の釣合重りガイドレール７に沿ってガイドする装置である。複数のガイドシュー１９の一部は、一対の釣合重りガイドレール７の一方の側に設けられる。複数のガイドシュー１９の他の一部は、一対の釣合重りガイドレール７の他方の側に設けられる。
【００２６】
複数の重りブロック２０の各々は、例えば鉄などの金属またはコンクリートである。複数の重りブロック２０は、積み重ねられる。
【００２７】
重り枠２１は、複数の重りブロック２０を積み込む枠である。重り枠２１は、例えば鉄を主成分とする合金で形成される。重り枠２１は、例えば長方形状に設けられる。重り枠２１は、一対の立枠２２と、上枠２３と、下枠２４と、を備える。重り枠２１は、昇降路２への搬入などのため、一対の立枠２２の各々と、上枠２３と、下枠２４と、に分離可能である。
【００２８】
一対の立枠２２の一方は、重り枠２１の左側の辺を形成する部材である。一対の立枠２２の他方は、重り枠２１の右側の辺を形成する部材である。一対の立枠２２の各々は、鉛直方向に延びる。一対の立枠２２の各々は、一対の釣合重りガイドレール７の各々に平行に設けられる。一対の立枠２２の各々の外側の側面は、一対の釣合重りガイドレール７の各々に対向する。一対の立枠２２の各々は、重りブロック取出口２５を有する。重りブロック取出口２５は、重りブロック２０を重り枠２１から取り出す開口である。重りブロック取出口２５は、一対の立枠２２の各々の上部に設けられる。
【００２９】
上枠２３は、重り枠２１の上側の辺を形成する部材である。複数のガイドシュー１９の一部は、上枠２３に設けられる。上枠２３は、水平方向に延びる。上枠２３は、例えばボルトおよびナットによって、一対の立枠２２の各々に取り付けられる。
【００３０】
下枠２４は、重り枠２１の下側の辺を形成する部材である。複数のガイドシュー１９の一部は、下枠２４に設けられる。下枠２４は、水平方向に延びる。下枠２４は、例えばボルトおよびナットによって、一対の立枠２２の各々に取り付けられる。
【００３１】
重り枠２１は、保持部２６、を備える。保持部２６は、釣合チェーン１３の一端を保持する部分である。保持部２６は、下枠２４に設けられる。保持部２６は、下枠２４の下面から下方に突出する。保持部２６は、下枠２４の中心から左右のいずれかの側に離れた位置に設けられる。なお、エレベーター１が釣合チェーン１３を２本備える場合に、重り枠２１は、保持部２６を２つ備える。２つの保持部２６の各々は、下枠２４の中心から左右の各々の側に離れた位置にそれぞれ設けられる。
【００３２】
エレベーター１の運転において、主ロープ１２は、巻上機１０のモーターに駆動されて移動する。かご８は、主ロープ１２の移動に追従して昇降する。釣合重り９は、主ロープ１２の移動に追従して昇降する。釣合チェーン１３は、かご８および釣合重り９の昇降に追従して移動する。かご８は、乗場４が設けられる階に停止する。エレベーター１の利用者は、乗場４からかご８に乗車する。あるいは、エレベーター１の利用者は、かご８から乗場４に降車する。
【００３３】
釣合重り９は、例えばエレベーター１の改修において交換される。釣合重り９の交換において、重り枠２１は、一対の立枠２２の各々と、上枠２３と、下枠２４と、に分割された状態で昇降路２に搬入される。重り枠２１は、昇降路２のピット３において、一対の立枠２２の各々と、上枠２３と、下枠２４と、から組み立てられる。重り枠２１が組み立てられた後、重りブロック２０は、重り枠２１に積み込まれる。
【００３４】
続いて、図２を用いて、重り枠２１の組立に用いる重り枠組立支援装置２７の構成を説明する。
図２は、実施の形態１に係る重り枠組立支援装置の斜視図である。
【００３５】
重り枠組立支援装置２７は、釣合重り９の重り枠２１の組立に用いられる。重り枠組立支援装置２７は、複数のスペーサー２８と、受台２９と、を備える。
【００３６】
複数のスペーサー２８の各々は、一対の立枠２２の各々の側面と一対の釣合重りガイドレール７の各々との間の間隙の幅を一定に保つ器具である。複数のスペーサー２８の各々は、一対のスペーサー要素３０からなる。一対のスペーサー要素３０の各々は、互いに同じ構成である。
【００３７】
受台２９は、重り枠の組立において下枠２４の重量を受ける器具である。
【００３８】
続いて、図３を用いて、スペーサー要素３０の構成を説明する。
図３は、実施の形態１に係るスペーサー要素の斜視図である。
【００３９】
スペーサー要素３０は、例えば樹脂によって形成される。
【００４０】
スペーサー要素３０は、底面３１と、第１側面３２と、第２側面３３と、を有する。底面３１は、長方形状の平坦な面である。第１側面３２は、底面３１に垂直な側面である。第２側面３３は、底面３１に垂直な側面である。第２側面３３は、第１側面３２に平行な側面である。第１側面３２と第２側面３３との間の距離は、立枠２２の側面の前後方向の長さの半分以下の長さである。
【００４１】
スペーサー要素３０は、第１領域３４と、第２領域３５と、を有する。
【００４２】
第１領域３４は、直方体状の領域である。第１領域３４は、第１側面３２からの距離が距離ｄ１より短い領域である。ここで、距離ｄ１は、釣合重りガイドレール７の厚さＴの半分より長い。第１領域３４の底面３１からの厚さは、一定の厚さｔ１である。厚さｔ１は、釣合重り９と一対の釣合重りガイドレール７の各々との間の間隙の典型的な幅に対応する。
【００４３】
第２領域３５は、直方体状の領域である。第２領域３５は、第２側面３３からの距離が距離ｄ２より短い領域である。ここで、距離ｄ２は、釣合重りガイドレール７の厚さＴの半分より長い。第２領域３５の底面３１からの厚さは、一定の厚さｔ２である。厚さｔ２は、厚さｔ１より薄い。厚さｔ２は、釣合重り９と一対の釣合重りガイドレール７の各々との間の間隙の他の典型的な幅に対応する。
【００４４】
スペーサー要素３０は、磁石３６を備える。磁石３６は、底面３１に設けられる。磁石３６は、底面３１から突出しない。
【００４５】
続いて、図４を用いて、受台２９の構成を説明する。
図４は、実施の形態１に係る受台の斜視図である。
【００４６】
受台２９は、キャップ３７と、天板３８と、を有する。受台２９は、例えば鋼によって形成される。
【００４７】
キャップ３７は、上下方向を軸方向とする円筒形状である。キャップ３７の下端は、開放端である。開放端の内径は、釣合重りバッファー１６の上端部の外径より大きい。すなわち、キャップ３７の軸方向に垂直な面による開放端の側の断面形状は、釣合重りバッファー１６の上端部の水平断面の形状を内部に含む。
【００４８】
天板３８は、キャップ３７の上端に設けられる。天板３８は、左右方向に延びる板状の形状である。天板３８の上面は、キャップ３７の軸方向に垂直である。一対の開口３９が、天板３８に設けられる。一対の開口３９の一方は、天板３８の中心から左方に距離ｘだけ離れた位置に設けられる。一対の開口３９の他方は、天板３８の中心から右方に距離ｘだけ離れた位置に設けられる。距離ｘは、保持部２６と下枠２４の中心との距離に対応する。一対の開口３９の各々の大きさは、保持部２６の外径より大きい。一対の開口３９の各々は、天板３８を貫通する。一対の開口３９の各々は、略正方形の穴である。複数の軽量化穴４０が、天板３８に設けられる。
【００４９】
続いて、図５から図９を用いて、実施の形態１に係る重り枠組立方法を説明する。
図５から図９は、実施の形態１に係る重り枠組立方法の例を示す図である。
【００５０】
図５において、スペーサー２８を上方から見た図が示される。紙面の左方向は、重り枠２１の前方向である。紙面の上方向は、重り枠２１の右方向である。
【００５１】
ここで、釣合重り９と一対の釣合重りガイドレール７の各々との間の間隙の幅に厚さｔ２が対応するエレベーター１における例が示される。
【００５２】
ピット３において重り枠２１の組立を行う作業員は、立枠配置工程の作業を行う。立枠配置工程は、スペーサー取付工程を含む。
【００５３】
スペーサー取付工程において、作業員は、一対のスペーサー要素３０の一方を、立枠２２の側面の前側に取り付ける。このとき、第２側面３３は、重り枠２１の後方に向けられる。作業員は、一対のスペーサー要素３０の他方を、立枠２２の側面の後方に取り付ける。このとき、第２側面３３は、を重り枠２１の前方に向けられる。作業員は、一対のスペーサー要素３０の各々の第２側面を互いに合わせることで、一対のスペーサー要素３０をスペーサー２８として立枠２２の側面に取り付ける。
【００５４】
一対のスペーサー要素３０の各々の第２領域３５は、立枠２２の側面の前後方向の中心において互いに合わせられる。合わせられた一対の第２領域３５は、一定の厚さｔ２の領域を形成する。当該領域の前後方向の長さは、距離ｄ２の２倍である。すなわち、当該領域の前後方向の長さは、釣合重りガイドレール７の厚さＴより長い。
【００５５】
立枠配置工程において、作業員は、スペーサー２８が取り付けられた立枠２２の側面を釣合重りガイドレール７に対向させる。作業員は、スペーサー２８の一定の厚さｔ２の領域を釣合重りガイドレール７に合わせる。これにより、スペーサー２８は、厚さｔ２の当該領域によって、立枠２２の側面と釣合重りガイドレール７と間の間隙の幅を一定に保つ。
【００５６】
図６から図９において、ピット３において組み立てられる重り枠２１が示される。紙面の上方向は、鉛直上方である。紙面の左方向は、重り枠２１の左方向である。
【００５７】
図６に示されるように、作業員は、立枠配置工程として、一対の立枠２２の各々を鉛直に立てて配置する。このとき、一対の立枠２２の各々の側面と一対の釣合重りガイドレール７の各々との間の間隙の幅は、スペーサー２８によって一定に保たれている。作業員は、ラッシングベルト４１によって、一対の立枠２２の各々を一対の釣合重りガイドレール７の各々に固定する。
【００５８】
次に、図７に示されるように、作業員は、上枠取付工程として、上枠２３を一対の立枠２２の各々に取り付ける。このとき、一対の立枠２２の各々は、鉛直に立てられた状態で、ラッシングベルト４１によって一対の釣合重りガイドレール７の各々に固定されている。一対の立枠２２の各々の側面と一対の釣合重りガイドレール７の各々との間の間隙の幅は、スペーサー２８によって一定に保たれている。
【００５９】
次に、図８に示されるように、作業員は、立枠移動工程として、一対の立枠２２の各々を鉛直上方に移動させる。
【００６０】
立枠移動工程において、作業員は、ラッシングベルト４１を一対の立枠２２の各々から外す。作業員は、ロープ４２の一端を上枠２３に取り付ける。作業員は、ロープ４２の他端に設けられる図示されないチェーンブロックなどの揚重装置を操作することで、上枠２３を吊り上げる。上枠２３に取り付けられている一対の立枠２２は、上枠２３とともに吊り上げられる。一対の立枠２２に取り付けられているスペーサー２８は、一対の立枠２２とともに吊り上げられる。このとき、スペーサー２８は、一対の立枠２２の各々の側面と一対の釣合重りガイドレール７の各々との間の間隙の幅を一定に保ちながら吊り上げられる。
【００６１】
次に、図９に示されるように、作業員は、受台配置工程として、キャップ３７の開放端を釣合重りバッファー１６の上端に被せて受台２９を配置する。このとき、作業員は、天板３８が重り枠２１の左右方向に延びる向きに受台２９を配置する。
【００６２】
次に、作業員は、下枠取付工程の作業を行う。下枠取付工程は、下枠配置工程と、スペーサー除去工程と、を含む。
【００６３】
下枠配置工程において、作業員は、釣合重りバッファー１６の上端に配置された受台２９の天板３８の上面の上に、下枠２４を置いて配置する。このとき、作業員は、保持部２６を、一対の開口３９の一方に通す。これによって、下枠２４の下面は、天板３８の上面に合わせられる。
【００６４】
下枠取付工程において、作業員は、下枠２４を一対の立枠２２の各々に取り付ける。このとき、一対の立枠２２の各々の側面と一対の釣合重りガイドレール７の各々との間の間隙の幅は、スペーサー２８によって一定に保たれている。
【００６５】
スペーサー除去工程において、作業員は、一対のスペーサー要素３０の一方を、立枠２２の前側から取り外す。作業員は、一対のスペーサー要素３０の他方を、立枠２２の前側から取り外す。
【００６６】
続いて、図１０を用いて、釣合重り９と一対の釣合重りガイドレール７の各々との間の間隙の幅に厚さｔ１が対応するエレベーター１におけるスペーサー取付工程の例を説明する。
図１０は、実施の形態１に係る重り枠組立方法の例を示す図である。
【００６７】
図１０において、スペーサー２８を上方から見た図が示される。紙面の左方向は、重り枠２１の前方向である。紙面の上方向は、重り枠２１の右方向である。
【００６８】
スペーサー取付工程において、作業員は、一対のスペーサー要素３０の一方を、立枠２２の側面の前側に取り付ける。このとき、第１側面３２は、重り枠２１の後方に向けられる。作業員は、一対のスペーサー要素３０の他方を、立枠２２の側面の後方に取り付ける。このとき、第１側面３２は、重り枠２１の前方に向けられる。作業員は、一対のスペーサー要素３０の各々の第１側面を互いに合わせることで、一対のスペーサー要素３０をスペーサー２８として立枠２２の側面に取り付ける。
【００６９】
一対のスペーサー要素３０の各々の第１領域３４は、立枠２２の側面の前後方向の中心において互いに合わせられる。合わせられた一対の第１領域３４は、一定の厚さｔ１の領域を形成する。当該領域の前後方向の長さは、距離ｄ１の２倍である。すなわち、当該領域の前後方向の長さは、釣合重りガイドレール７の厚さＴより長い。
【００７０】
立枠配置工程において、作業員は、スペーサー２８が取り付けられた立枠２２の側面を釣合重りガイドレール７に対向させる。作業員は、スペーサー２８の一定の厚さｔ１の領域を釣合重りガイドレール７に合わせる。これにより、スペーサー２８は、厚さｔ１の当該領域によって、立枠２２の側面と釣合重りガイドレール７と間の間隙の幅を一定に保つ。
【００７１】
以上に説明したように、実施の形態１に係る重り枠組立支援装置２７は、スペーサー２８を備える。スペーサー２８は、釣合重り９の重り枠２１の立枠２２の側面に取り付けられる。スペーサー２８は、当該側面に対向する釣合重りガイドレール７と当該側面との間の間隙の幅を一定に保つ。重り枠２１の組立において重り枠２１の下枠２４が取り付けられていない状態の立枠２２が鉛直方向に移動するときに、スペーサー２８は、立枠２２とともに移動する。
【００７２】
実施の形態１に係る重り枠組立方法は、立枠配置工程と、上枠取付工程と、立枠移動工程と、下枠取付工程と、を備える。立枠配置工程において、釣合重り９の重り枠２１の立枠２２は、立枠２２の側面に対向する釣合重りガイドレール７と当該側面との間の間隙の幅をスペーサー２８によって一定に保つように、鉛直に立てて配置される。スペーサー２８は、当該側面に取り付けられている。上枠取付工程において、重り枠２１の上枠２３は、立てられた立枠２２に取り付けられる。立枠移動工程において、上枠２３が取り付けられた立枠２２は、スペーサー２８とともに鉛直上方に移動させられる。このとき、釣合重りガイドレール７と立枠２２の側面との間の間隙の幅は、スペーサー２８によって一定に保たれる。下枠取付工程において、重り枠２１の下枠２４は、鉛直上方に移動させられた立枠２２に取り付けられる。
【００７３】
スペーサー２８は、下枠２４を立枠２２に取り付けるために立枠２２が鉛直方向に移動されるときにも、立枠２２の側面と釣合重りガイドレール７との間の間隙の幅を一定に保つ。これにより、作業員は、当該間隙の幅を一定に保ちながら重り枠２１を組み立てられる。すなわち、作業員は、重り枠２１を組み立てた後に当該間隙の幅を調整する必要がない。したがって、作業員は、昇降路２において簡単に精度よく重り枠２１を組み立てることができる。
【００７４】
また、スペーサー２８は、一対のスペーサー要素３０を備える。一対のスペーサー要素３０は、互いに分離可能である。一対のスペーサー要素３０の各々は、底面３１が立枠２２の側面に取り付けられる。一対のスペーサー要素３０の各々は、第１領域３４を有する。第１領域３４は、第１側面３２からの距離ｄ１が釣合重りガイドレール７の厚さＴの少なくとも半分である領域である。第１側面３２は、底面３１に垂直な側面である。第１領域３４の底面３１からの厚さｔ１は、一定である。
【００７５】
立枠配置工程は、スペーサー取付工程を含む。スペーサー取付工程において、一対のスペーサー要素３０の一方は、立枠２２の側面の前側に取り付けられる。スペーサー取付工程において、一対のスペーサー要素３０の他方は、立枠２２の側面の後側に取り付けられる。下枠取付工程は、スペーサー除去工程を含む。スペーサー除去工程において、一対のスペーサー要素３０の一方は、立枠２２の前側から取り外される。スペーサー除去工程において、一対のスペーサー要素３０の他方は、立枠２２の後側から取り外される。
【００７６】
スペーサー取付工程において、一対のスペーサー要素３０の各々の第１側面３２は、互いに合わせられる。一対のスペーサー要素３０の各々の第１領域３４は、一定の厚さｔ１の領域を形成する。これにより、一対のスペーサー要素３０は、立枠２２の側面と釣合重りガイドレール７との間の間隙の幅を一定の厚さｔ１に対応する一定の幅に保つ。当該領域は、一対のスペーサー要素３０の各々の端部である第１側面３２を合わせた領域である。スペーサー除去工程において、作業員は、釣合重りガイドレール７の前側に取り付けられているスペーサー要素３０を、釣合重りガイドレール７の前側から取り外す。作業員は、釣合重りガイドレール７の後側に取り付けられているスペーサー要素３０を、釣合重りガイドレール７の後側から取り外す。これにより、重り枠２１を組み立てた後に、作業員は、容易にスペーサー２８を取り外すことができる。
【００７７】
一対のスペーサー要素３０の各々は、互いに同じ構成である。これにより、スペーサー２８を複数用いる場合においても、一対のスペーサー要素３０の組合せを考慮する必要がない。これにより、重り枠組立支援装置２７において、部品の管理が容易になる。
【００７８】
また、一対のスペーサー要素３０の各々は、第２領域３５を有する。第２領域３５は、第２側面３３からの距離ｄ２が釣合重りガイドレール７の厚さＴの少なくとも半分である領域である。第２側面３３は、底面３１に垂直な側面である。第２領域３５の底面３１からの厚さｔ２は、一定である。第２領域３５の底面３１からの厚さｔ２は、第１領域３４の底面３１からの厚さｔ１より薄い。
【００７９】
重り枠２１の組立において、一対のスペーサー要素３０の各々の第２側面は、互いに合わせられる。一対のスペーサー要素３０の各々の第２領域３５は、一定の厚さｔ１の領域を形成する。これにより、一対のスペーサー要素３０は、立枠２２の側面と釣合重りガイドレール７との間の間隙の幅を一定の厚さｔ２に対応する一定の幅に保つ。このため、スペーサー２８は、当該間隙の幅が厚さｔ１に対応するエレベーター１と、当該間隙の幅が厚さｔ２に対応するエレベーター１と、の両方に使用できる。したがって、重り枠組立支援装置２７の汎用性が高まる。
【００８０】
また、重り枠組立支援装置２７は、受台２９を備える。受台２９は、キャップ３７と、天板３８と、を有する。キャップ３７は、軸方向の一端である下端が開放端である。キャップ３７の軸方向に垂直な面による下端の断面形状は、釣合重りバッファー１６の上端部の水平断面の形状を内部に含む。天板３８は、キャップ３７の軸方向の他端である上端に設けられる。天板３８のキャップ３７と反対側の面である上面は、キャップ３７の軸方向に垂直な受面である。
【００８１】
また、重り枠組立方法は、受台配置工程を備える。受台は、キャップ３７と天板３８とを有する。キャップ３７の軸方向の一端は、開放端である。天板３８は、キャップ３７の軸方向の他端に設けられる。天板３８のキャップ３７と反対側の面である上面は、軸方向に垂直な受面である。受台配置工程において、受台２９は、受台２９のキャップ３７の開放端を釣合重りバッファー１６の上端に被せて配置される。下枠取付工程は、下枠配置工程を含む。下枠配置工程において、立枠２２に取り付けられていない下枠２４は、釣合重りバッファー１６の上端に配置された受台２９の受面の上に置いて配置される。
【００８２】
これにより、重り枠２１が釣合重りバッファー１６の上方の位置に調整されている状態で、作業員は、安定して下枠２４を立枠２２に取り付けられる。したがって、作業員は、昇降路２においてより簡単に精度よく重り枠２１を組み立てることができる。
【００８３】
また、開口３９が、天板３８に設けられる。開口３９は、保持部２６と下枠２４の下面の中心との距離ｘだけ天板３８の中心から離れる位置に設けられる。保持部２６は、重り枠２１の下枠２４の下面から突出する部分である。開口３９は、受面からキャップ３７の側に貫通する。
【００８４】
下枠２４の受台２９への配置において、保持部２６は、開口３９に通される。これにより、下枠２４の下面は、天板３８の上面に合わせられる。このため、下枠２４の下面に保持部２６がある場合においても、作業員は、下枠２４を安定して天板３８の上面に配置できる。
【００８５】
なお、キャップ３７は、例えば六角柱または八角柱などの角柱状の形状であってもよい。これにより、キャップ３７が製造しやすくなる。
【００８６】
下枠２４は、保持部２６の他に下面から突出する部分を備えてもよい。当該部分は、例えば、重りブロック２０またはその他の部分を固定するためのボルトなどであってもよい。このとき、下枠２４を受台２９の上面に置く際に当該部分を通す開口が、天板３８に設けられる。
【００８７】
一対の開口３９の各々は、左右の各々の端部まで延びる溝であってもよい。一対の開口３９の各々は、複数の穴であってもよい。受台２９は、保持部２６が下枠２４の下面の異なる位置に設けられる複数のエレベーターに使用できる。したがって、重り枠組立支援装置２７の汎用性が高まる。
【産業上の利用可能性】
【００８８】
本発明に係る重り枠組立方法は、エレベーターの釣合重りの重り枠の組立に適用できる。本発明に係る重り枠組立支援装置は、本発明に係る重り枠組立方法に適用できる。
【符号の説明】
【００８９】
１  エレベーター、  ２  昇降路、  ３  ピット、  ４  乗場、  ５  乗場扉、  ６  かごガイドレール、  ７  釣合重りガイドレール、  ８  かご、  １０  巻上機、  １１  そらせ車、  １２  主ロープ、  １３  釣合チェーン、  １５  かごバッファー、  １６  バッファー、  １７  かご扉、  １８  ガイドシュー、  １９  ガイドシュー、  ２０  重りブロック、  ２１  重り枠、  ２２  立枠、  ２３  上枠、  ２４  下枠、  ２５  重りブロック取出口、  ２６  保持部、  ２７  重り枠組立支援装置、  ２８  スペーサー、  ２９  受台、  ３０  スペーサー要素、  ３１  底面、  ３２  第１側面、  ３３  第２側面、  ３４  第１領域、  ３５  第２領域、  ３６  磁石、  ３７  キャップ、  ３８  天板、  ３９  開口、  ４０  軽量化穴、  ４１  ラッシングベルト、  ４２  ロープ
【図１】
2019239516.tif 000003
【図２】
2019239516.tif 000004
【図３】
2019239516.tif 000005
【図４】
2019239516.tif 000006
【図５】
2019239516.tif 000007
【図６】
2019239516.tif 000008
【図７】
2019239516.tif 000009
【図８】
2019239516.tif 000010
【図９】
2019239516.tif 000011
【図１０】
2019239516.tif 000012
【手続補正書】
【提出日】平成30年10月31日(2018.10.31)
【手続補正１】
【補正対象書類名】特許請求の範囲
【補正対象項目名】全文
【補正方法】変更
【補正の内容】
【特許請求の範囲】
【請求項１】
釣合重りの重り枠の組立において、前記重り枠の立枠の側面に取り付けられ、前記側面に対向するガイドレールと前記側面との間の間隙の幅を一定に保つ互いに分離可能な一対のスペーサー要素からなるスペーサー、
を備えるエレベーターの重り枠組立支援装置。
【請求項２】
前記一対のスペーサー要素の各々は、底面が前記立枠に取り付けられ、前記底面に垂直な第１側面からの距離が前記ガイドレールの厚さの少なくとも半分である第１領域を有し、前記第１領域の前記底面からの厚さが一定である請求項１に記載のエレベーターの重り枠組立支援装置。
【請求項３】
前記一対のスペーサー要素の各々は、前記底面に垂直な第２側面からの距離が前記ガイドレールの厚さの少なくとも半分である第２領域を有し、前記第２領域の前記底面からの厚さが前記第１領域の前記底面からの厚さより薄く一定である請求項２に記載のエレベーターの重り枠組立支援装置。
【請求項４】
前記スペーサーは、前記重り枠の組立において前記重り枠の下枠が取り付けられていない状態の前記立枠が鉛直方向に移動するときに前記立枠とともに移動する請求項１から請求項３のいずれか一項に記載のエレベーターの重り枠組立支援装置。
【請求項５】
軸方向の一端が開放端であり、前記軸方向に垂直な面による前記一端の断面形状が釣合重りバッファーの上端部の水平断面の形状を内部に含むキャップと、前記軸方向の他端に設けられ、前記キャップの反対側の面が前記軸方向に垂直な受面である天板と、を有する受台、
を備える請求項１から請求項４のいずれか一項に記載のエレベーターの重り枠組立支援装置。
【請求項６】
前記天板は、前記重り枠の下枠の下面から突出する部材と前記下枠の下面の中心までの距離だけ前記天板の中心から離れる位置に、前記受面から前記キャップの側に貫通する開口が設けられる請求項５に記載のエレベーターの重り枠組立支援装置。
【請求項７】
釣合重りの重り枠の立枠の側面に対向するガイドレールと前記側面との間の間隙の幅を前記側面に取り付けられたスペーサーによって一定に保つように前記立枠を鉛直に立てて配置する立枠配置工程と、
前記立枠配置工程において立てられた前記立枠に前記重り枠の上枠を取り付ける上枠取付工程と、
前記上枠取付工程において前記上枠が取り付けられた前記立枠を前記スペーサーによって前記間隙の幅を一定に保ちながら前記スペーサーとともに鉛直上方に移動させる立枠移動工程と、
前記立枠移動工程において鉛直上方に移動させられた前記立枠に前記重り枠の下枠を取り付ける下枠取付工程と、
を備え、
前記立枠配置工程は、前記スペーサーが備える互いに分離可能な一対のスペーサー要素の一方を前記立枠の前記側面の前側に取り付け、前記一対のスペーサー要素の他方を前記立枠の前記側面の後側に取り付けるスペーサー取付工程を含み、
前記下枠取付工程は、前記一対のスペーサー要素の一方を前記立枠の前側から取り外し、前記一対のスペーサー要素の他方を前記立枠の後側から取り外すスペーサー除去工程を含むエレベーターの重り枠組立方法。
【請求項８】
軸方向の一端が開放端であるキャップと前記キャップの前記軸方向の他端に設けられ前記キャップの反対側の面が前記軸方向に垂直な受面である天板とを有する受台の前記キャップの開放端を釣合重りバッファーの上端に被せて前記受台を配置する受台配置工程、
を備え、
前記下枠取付工程は、前記立枠に取り付けられていない前記下枠を前記釣合重りバッファーの上端に前記受台配置工程において配置された前記受台の前記受面の上に置いて配置する下枠配置工程を含む請求項７に記載のエレベーターの重り枠組立方法。
【手続補正２】
【補正対象書類名】明細書
【補正対象項目名】０００６
【補正方法】変更
【補正の内容】
【０００６】
本発明に係るエレベーターの重り枠組立支援装置は、釣合重りの重り枠の組立において、重り枠の立枠の側面に取り付けられ、側面に対向するガイドレールと側面との間の間隙の幅を一定に保つ互いに分離可能な一対のスペーサー要素からなるスペーサー、を備える。
【手続補正３】
【補正対象書類名】明細書
【補正対象項目名】０００７
【補正方法】変更
【補正の内容】
【０００７】
本発明に係るエレベーターの重り枠組立方法は、釣合重りの重り枠の立枠の側面に対向するガイドレールと側面との間の間隙の幅を側面に取り付けられたスペーサーによって一定に保つように立枠を鉛直に立てて配置する立枠配置工程と、立枠配置工程において立てられた立枠に重り枠の上枠を取り付ける上枠取付工程と、上枠取付工程において上枠が取り付けられた立枠をスペーサーによって間隙の幅を一定に保ちながらスペーサーとともに鉛直上方に移動させる立枠移動工程と、立枠移動工程において鉛直上方に移動させられた立枠に重り枠の下枠を取り付ける下枠取付工程と、を備え、立枠配置工程は、スペーサーが備える互いに分離可能な一対のスペーサー要素の一方を立枠の側面の前側に取り付け、一対のスペーサー要素の他方を立枠の側面の後側に取り付けるスペーサー取付工程を含み、下枠取付工程は、一対のスペーサー要素の一方を立枠の前側から取り外し、一対のスペーサー要素の他方を立枠の後側から取り外すスペーサー除去工程を含む。
【手続補正書】
【提出日】平成31年1月22日(2019.1.22)
【手続補正１】
【補正対象書類名】特許請求の範囲
【補正対象項目名】全文
【補正方法】変更
【補正の内容】
【特許請求の範囲】
【請求項１】
釣合重りの重り枠の組立において、前記重り枠の立枠の側面に取り付けられ、前記側面に対向するガイドレールと前記側面との間の間隙の幅を一定に保つ、前記立枠に取り付けられるときの前後方向において互いに分離可能な一対のスペーサー要素からなるスペーサー、
を備えるエレベーターの重り枠組立支援装置。
【請求項２】
前記一対のスペーサー要素の各々は、底面が前記立枠に取り付けられ、前記底面に垂直な第１側面からの距離が前記ガイドレールの厚さの少なくとも半分である第１領域を有し、前記第１領域の前記底面からの厚さが一定である請求項１に記載のエレベーターの重り枠組立支援装置。
【請求項３】
前記一対のスペーサー要素の各々は、前記底面に垂直な第２側面からの距離が前記ガイドレールの厚さの少なくとも半分である第２領域を有し、前記第２領域の前記底面からの厚さが前記第１領域の前記底面からの厚さより薄く一定である請求項２に記載のエレベーターの重り枠組立支援装置。
【請求項４】
前記スペーサーは、前記重り枠の組立において前記重り枠の下枠が取り付けられていない状態の前記立枠が鉛直方向に移動するときに前記立枠とともに移動する請求項１から請求項３のいずれか一項に記載のエレベーターの重り枠組立支援装置。
【請求項５】
軸方向の一端が開放端であり、前記軸方向に垂直な面による前記一端の断面形状が釣合重りバッファーの上端部の水平断面の形状を内部に含むキャップと、前記軸方向の他端に設けられ、前記キャップの反対側の面が前記軸方向に垂直な受面である天板と、を有する受台、
を備える請求項１から請求項４のいずれか一項に記載のエレベーターの重り枠組立支援装置。
【請求項６】
前記天板は、前記重り枠の下枠の下面から突出する部材と前記下枠の下面の中心までの距離だけ前記天板の中心から離れる位置に、前記受面から前記キャップの側に貫通する開口が設けられる請求項５に記載のエレベーターの重り枠組立支援装置。
【請求項７】
釣合重りの重り枠の立枠の側面に対向するガイドレールと前記側面との間の間隙の幅を前記側面に取り付けられたスペーサーによって一定に保つように前記立枠を鉛直に立てて配置する立枠配置工程と、
前記立枠配置工程において立てられた前記立枠に前記重り枠の上枠を取り付ける上枠取付工程と、
前記上枠取付工程において前記上枠が取り付けられた前記立枠を前記スペーサーによって前記間隙の幅を一定に保ちながら前記スペーサーとともに鉛直上方に移動させる立枠移動工程と、
前記立枠移動工程において鉛直上方に移動させられた前記立枠に前記重り枠の下枠を取り付ける下枠取付工程と、
を備え、
前記立枠配置工程は、前記スペーサーが備える互いに分離可能な一対のスペーサー要素の一方を前記立枠の前記側面の前側に取り付け、前記一対のスペーサー要素の他方を前記立枠の前記側面の後側に取り付けるスペーサー取付工程を含み、
前記下枠取付工程は、前記一対のスペーサー要素の一方を前記立枠の前側から取り外し、前記一対のスペーサー要素の他方を前記立枠の後側から取り外すスペーサー除去工程を含むエレベーターの重り枠組立方法。
【請求項８】
軸方向の一端が開放端であるキャップと前記キャップの前記軸方向の他端に設けられ前記キャップの反対側の面が前記軸方向に垂直な受面である天板とを有する受台の前記キャップの開放端を釣合重りバッファーの上端に被せて前記受台を配置する受台配置工程、
を備え、
前記下枠取付工程は、前記立枠に取り付けられていない前記下枠を前記釣合重りバッファーの上端に前記受台配置工程において配置された前記受台の前記受面の上に置いて配置する下枠配置工程を含む請求項７に記載のエレベーターの重り枠組立方法。
【手続補正２】
【補正対象書類名】明細書
【補正対象項目名】０００６
【補正方法】変更
【補正の内容】
【０００６】
本発明に係るエレベーターの重り枠組立支援装置は、釣合重りの重り枠の組立において、重り枠の立枠の側面に取り付けられ、側面に対向するガイドレールと側面との間の間隙の幅を一定に保つ、立枠に取り付けられるときの前後方向において互いに分離可能な一対のスペーサー要素からなるスペーサー、を備える。
【手続補正書】
【提出日】平成31年2月19日(2019.2.19)
【手続補正１】
【補正対象書類名】特許請求の範囲
【補正対象項目名】全文
【補正方法】変更
【補正の内容】
【特許請求の範囲】
【請求項１】
釣合重りの重り枠の組立において、前記重り枠の立枠の側面に取り付けられ、前記側面に左右方向から対向するガイドレールと前記側面との間の間隙の幅を一定に保つ、前記立枠に取り付けられるときの前後方向において互いに分離可能な一対のスペーサー要素からなるスペーサー、
を備えるエレベーターの重り枠組立支援装置。
【請求項２】
前記一対のスペーサー要素の各々は、底面が前記立枠に取り付けられ、前記底面に垂直な第１側面からの距離が前記ガイドレールの厚さの少なくとも半分である第１領域を有し、前記第１領域の前記底面からの厚さが一定である請求項１に記載のエレベーターの重り枠組立支援装置。
【請求項３】
前記一対のスペーサー要素の各々は、前記底面に垂直な第２側面からの距離が前記ガイドレールの厚さの少なくとも半分である第２領域を有し、前記第２領域の前記底面からの厚さが前記第１領域の前記底面からの厚さより薄く一定である請求項２に記載のエレベーターの重り枠組立支援装置。
【請求項４】
前記スペーサーは、前記重り枠の組立において前記重り枠の下枠が取り付けられていない状態の前記立枠が鉛直方向に移動するときに前記立枠とともに移動する請求項１から請求項３のいずれか一項に記載のエレベーターの重り枠組立支援装置。
【請求項５】
軸方向の一端が開放端であり、前記軸方向に垂直な面による前記一端の断面形状が釣合重りバッファーの上端部の水平断面の形状を内部に含むキャップと、前記軸方向の他端に設けられ、前記キャップの反対側の面が前記軸方向に垂直な受面である天板と、を有する受台、
を備える請求項１から請求項４のいずれか一項に記載のエレベーターの重り枠組立支援装置。
【請求項６】
前記天板は、前記重り枠の下枠の下面から突出する部材と前記下枠の下面の中心までの距離だけ前記天板の中心から離れる位置に、前記受面から前記キャップの側に貫通する開口が設けられる請求項５に記載のエレベーターの重り枠組立支援装置。
【請求項７】
釣合重りの重り枠の立枠の側面に左右方向から対向するガイドレールと前記側面との間の間隙の幅を前記側面に取り付けられたスペーサーによって一定に保つように前記立枠を鉛直に立てて配置する立枠配置工程と、
前記立枠配置工程において立てられた前記立枠に前記重り枠の上枠を取り付ける上枠取付工程と、
前記上枠取付工程において前記上枠が取り付けられた前記立枠を前記スペーサーによって前記間隙の幅を一定に保ちながら前記スペーサーとともに鉛直上方に移動させる立枠移動工程と、
前記立枠移動工程において鉛直上方に移動させられた前記立枠に前記重り枠の下枠を取り付ける下枠取付工程と、
を備え、
前記立枠配置工程は、前記スペーサーが備える互いに分離可能な一対のスペーサー要素の一方を前記立枠の前記側面の前側に取り付け、前記一対のスペーサー要素の他方を前記立枠の前記側面の後側に取り付けるスペーサー取付工程を含み、
前記下枠取付工程は、前記一対のスペーサー要素の一方を前記立枠の前側から取り外し、前記一対のスペーサー要素の他方を前記立枠の後側から取り外すスペーサー除去工程を含むエレベーターの重り枠組立方法。
【請求項８】
軸方向の一端が開放端であるキャップと前記キャップの前記軸方向の他端に設けられ前記キャップの反対側の面が前記軸方向に垂直な受面である天板とを有する受台の前記キャップの開放端を釣合重りバッファーの上端に被せて前記受台を配置する受台配置工程、
を備え、
前記下枠取付工程は、前記立枠に取り付けられていない前記下枠を前記釣合重りバッファーの上端に前記受台配置工程において配置された前記受台の前記受面の上に置いて配置する下枠配置工程を含む請求項７に記載のエレベーターの重り枠組立方法。
【手続補正２】
【補正対象書類名】明細書
【補正対象項目名】０００６
【補正方法】変更
【補正の内容】
【０００６】
本発明に係るエレベーターの重り枠組立支援装置は、釣合重りの重り枠の組立において、重り枠の立枠の側面に取り付けられ、側面に左右方向から対向するガイドレールと側面との間の間隙の幅を一定に保つ、立枠にとりつけられるときの前後方向において互いに分離可能な一対のスペーサー要素からなるスペーサー、を備える。
【手続補正３】
【補正対象書類名】明細書
【補正対象項目名】０００７
【補正方法】変更
【補正の内容】
【０００７】
本発明に係るエレベーターの重り枠組立方法は、釣合重りの重り枠の立枠の側面に左右方向から対向するガイドレールと側面との間の間隙の幅を側面に取り付けられたスペーサーによって一定に保つように立枠を鉛直に立てて配置する立枠配置工程と、立枠配置工程において立てられた立枠に重り枠の上枠を取り付ける上枠取付工程と、上枠取付工程において上枠が取り付けられた立枠をスペーサーによって間隙の幅を一定に保ちながらスペーサーとともに鉛直上方に移動させる立枠移動工程と、立枠移動工程において鉛直上方に移動させられた立枠に重り枠の下枠を取り付ける下枠取付工程と、を備え、立枠配置工程は、スペーサーが備える互いに分離可能な一対のスペーサー要素の一方を立枠の側面の前側に取り付け、一対のスペーサー要素の他方を立枠の側面の後側に取り付けるスペーサー取付工程を含み、下枠取付工程は、一対のスペーサー要素の一方を立枠の前側から取り外し、一対のスペーサー要素の他方を立枠の後側から取り外すスペーサー除去工程を含む。
【国際調査報告】
2019239516.tif 000013
2019239516.tif 000014
2019239516.tif 000015
2019239516.tif 000016